(57)【要約】本発明は、グリコシル化ポリペプチドを同定するための段階的方法を提供する。この方法を構成する複数の段階として、少なくとも一種類のプロテアーゼによってグリコシル化ポリペプチド含有生物学的試料を処理することでペプチド消化を開始させた後、脱グリコシル化、さらにそれに続く少なくとも一種類のプロテアーゼによる再消化をおこなうことで、脱グリコシル化ポリペプチド・フラグメントを得ることが含まれる。次に、脱グリコシル化ポリペプチドの配列を質量分析を用いて決定し、既知の配列のデーターベースと比較することで、配列を同定する。
2006527373.tif 000002
【特許請求の範囲】
【請求項１】
グリコシル化ポリペプチドを同定するための段階的方法であって、
（ａ）グリコシル化ポリペプチドを含む生物学的試料を得ること、
（ｂ）前記グリコシル化ポリペプチドについて前記生物学的試料をエンリッチすること、
（ｃ）グリコシル化ポリペプチド・フラグメントを得るために少なくとも一種類のプロテアーゼによって、前記ステップ（ｂ）のグリコシル化ポリペプチドを処理すること、
（ｄ）脱グリコシル化ポリペプチド・フラグメントを得るためにステップ（ｃ）で得た前記グリコシル化ポリペプチド・フラグメントを脱グリコシル化すること、
（ｅ）ステップ（Ｃ）で得た前記グリコシル化ポリペプチド・フラグメントよりも小さい脱グリコシル化ポリペプチド・フラグメントを得るために少なくとも一種類のプロテアーゼによって、ステップ（ｄ）の脱グリコシル化ポリペプチド・フラグメントを処理すること、
（ｆ）ステップ（ｅ）で得た前記脱グリコシル化ポリペプチド・フラグメントをシークエンシングすること、
（ｇ）グリコシル化ポリペプチドを同定するために、既知の配列のデータベースと、前記脱グリコシル化ポリペプチドとを比較することで、ステップ（ｆ）でシークエンシングされた脱グリコシル化ポリペプチド・フラグメントを同定すること、
を含む方法。
【請求項２】
前記グリコシル化ポリペプチドの少なくとも８０％の消化ペプチドが少なくとも２つのオリゴ糖鎖を含む、請求項１にもとづく段階的方法。
【請求項３】
前記グリコシル化ポリペプチドがグリコフォリンＡとして同定される、請求項１にもとづく段階的方法。
【請求項４】
前記グリコシル化ポリペプチドがグリコフォリンＡとして同定される、請求項２にもとづく段階的方法。
【請求項５】
前記エンリッチステップ（ｂ）がレクチン・カラム上で実行される、請求項１にもとづく段階的方法。
【請求項６】
前記エンリッチステップ（ｂ）がレクチン・カラム上で実行される、請求項２にもとづく段階的方法。
【請求項７】
前記ステップ（ｃ）および前記ステップ（ｅ）の前記プロテアーゼの少なくとも一種類が、トリプシンである、請求項１にもとづく段階的方法。
【請求項８】
前記ステップ（ｃ）または前記ステップ（ｅ）の前記プロテアーゼの少なくとも一種類が、トリプシンである、請求項１にもとづく段階的方法。
【請求項９】
前記ステップ（ｃ）および前記ステップ（ｅ）の前記プロテアーゼの少なくとも一種類が、トリプシンである、請求項２にもとづく段階的方法。
【請求項１０】
前記ステップ（ｃ）または前記ステップ（ｅ）の前記プロテアーゼの少なくとも一種類が、トリプシンである、請求項２にもとづく段階的方法。
【請求項１１】
グリコシル化ポリペプチドを同定するための段階的方法であって、
（ａ）グリコシル化ポリペプチドを含む生物学的試料を得ること、  
（ｂ）グリコシル化ポリペプチド・フラグメントを得るために、少なくとも一種類のプロテアーゼによって、前記グリコシル化ポリペプチドを含む生物学的試料を処理すること、
（ｃ）脱グリコシル化ポリペプチド・フラグメントを得るために、ステップ（ｂ）で得た前記グリコシル化ポリペプチド・フラグメントを脱グリコシル化すること、
（ｄ）ステップ（ｂ）で得た前記グリコシル化ポリペプチド・フラグメントよりも小さい脱グリコシル化ポリペプチド・フラグメントを得るために、少なくとも一種類のプロテアーゼによって、ステップ（ｃ）の前記脱グリコシル化ポリペプチド・フラグメントを処理すること、
（ｅ）ステップ（ｄ）で得た脱グリコシル化ポリペプチド・フラグメントをシークエンシングすること、
（ｆ）グリコシル化ポリペプチドを同定するために、前記脱グリコシル化ポリペプチド・フラグメント配列を既知の配列のデータベースと比較することで、ステップ（ｅ）でシークエンシングされた脱グリコシル化ポリペプチド・フラグメントを同定すること、
を含む、段階的方法。
【請求項１２】
前記グリコシル化ポリペプチドの少なくとも８０％の消化ペプチドが少なくとも２つのオリゴ糖鎖を含む、請求項１１にもとづく段階的方法。
【請求項１３】
前記グリコシル化ポリペプチドがグリコフォリンＡとして同定される、請求項１１にもとづく段階的方法。
【請求項１４】
前記グリコシル化ポリペプチドがグリコフォリンＡとして同定される、請求項１２にもとづく段階的方法。
【請求項１５】
前記ステップ（ｂ）および前記ステップ（ｄ）の前記プロテアーゼの少なくとも一種類が、トリプシンである、請求項１１にもとづく段階的方法。
【請求項１６】
前記ステップ（ｂ）または前記ステップ（ｄ）の前記プロテアーゼの少なくとも一種類が、トリプシンである、請求項１１にもとづく段階的方法。
【請求項１７】
前記ステップ（ｂ）および前記ステップ（ｄ）の前記プロテアーゼの少なくとも一種類が、トリプシンである、請求項１２にもとづく段階的方法。
【請求項１８】
前記ステップ（ｂ）または前記ステップ（ｄ）の前記プロテアーゼの少なくとも一種類が、トリプシンである、請求項１２にもとづく段階的方法。
【発明の詳細な説明】
【技術分野】
【０００１】
本発明は、プロテオミックスの分野、特に質量分析技術を用いてグリコシル化ポリペプチドを同定する方法に関し、より詳しくは、質量分析技術を用いた同定に先立って、プロテアーゼ消化、脱グリコシル化、および第２のプロテアーゼ消化を含む段階的方法を用いた重グリコシル化ポリペプチドの同定に関する。
【背景技術】
【０００２】
(従来の技術)
グリコシル化ポリペプチドまたは糖タンパク質は、共有結合したオリゴ糖鎖を有するタンパク質である。いずれの生物体でも各々の細胞は、細胞の種類と状態とを反映する多様なオリゴ糖鎖によって覆われている。植物および動物では、そのようなオリゴ糖鎖の多くがペプチド主鎖に結合している。動物では、ほとんどの糖タンパク質が体液に分泌されたり、内在性膜タンパク質として細胞膜に埋め込まれている。結合オリゴ糖鎖は、他の分子との相互作用を可能にする特異的「アドレス」をタンパク質に与える。このような特異性の付与に加えて、グリコシル化は、タンパク質の粘性を増加させることで、タンパク質分解酵素、細菌、およびウイルスによる侵襲に対して細胞を保護する細胞表面に、内在性膜タンパク質による潤滑保護被覆を設けることを可能とする。膜受容体、酵素、タンパク質ホルモン、血漿タンパク質、抗体、補体タンパク質、および血液型タンパク質は、すべて糖タンパク質の例である。
糖タンパク質は、２段階プロセスで個々の細胞によって合成される。糖タンパク質のタンパク質は、粗面小胞体（ＲＥＲ）上でｍＲＮＡから最初に翻訳された後、新たに翻訳されたタンパク質がＲＥＲおよびゴルジ複合体を通過するにしたがって、オリゴ糖鎖が添加される。オリゴ糖鎖は、新たに翻訳されたタンパク質主鎖に共有結合する。このようなオリゴヌクレオチドの結合は、Ｏ−結合およびＮ−結合という２通りの主要な結合がある。Ｏ−結合オリゴ糖は、セリンおよびスレオニン残基のＯＨ基へのＯ−グリコシド結合を介してタンパク質主鎖に結合する。Ｎ−結合オリゴ糖は、アスパラギン側鎖のＮＨ２基に対するＮ−グリコシド結合を介してタンパク質主鎖に結合する。アスパラギンは、Ａｓｎ−Ｘ−Ｓｅｒ（またはＴｈｒ）という配列に生じ、この配列中Ｘはプロリン以外の任意のアミノ酸残基である。これらのオリゴ糖鎖の各々は、多くの異なるサッカリド部分、部分の変異、および部分の組み合わせからなる。これらのグリコシル化の不均一パターンは、機能、細胞状態、および細胞型を反映する細胞内のタンパク質の最終位置を決定する。これらのグリコシル化パターンは、疾患状態による影響を受けることがある。
タンパク質グリコシル化は、細胞表面上の炭水化物部分がそのようなプロセスで、受容体−リガンド結合、抗原−抗体結合、細胞間認識、および細胞−基層（細胞外マトリックス）認識として認識するための標識として機能することから、多細胞生物の基礎生物学で重要な役割を果たす。グリコシル化タンパク質は、細胞接着および細胞増殖の接触阻害にも関係している。さらに、いくつかの疾患状態は、糖タンパク質の炭水化物含有量（オリゴ糖鎖の量および種類）に反映される（タンパク質グリコシル化についての序文として、コンサイス百科辞典：生化学および分子生物学、第３版、トーマスＡ．スコットおよびＥ．イアン・マーサーによって改訂および記述、Ｗ・グレイター、ベルリン−ニューヨーク、１９９７、２６１−２６３ページ、ならびに、インスタント・ノート：バイオケミストリー、第２版、Ｂ．Ｄ．ハムスおよびＮ．Ｍフーパー、シュプリンガー出版ニューヨーク、２０００、２３８−２４１ページを参照せよ）。
糖タンパク質の同定は、健康および疾患でのタンパク質グリコシル化に対する役割を理解する上で必要条件である。オリゴ糖鎖の異質性が、生物学的試料由来の糖タンパク質の同定で多くの問題点を伴って研究者に示された。糖鎖は、タンパク質合成の時点またはその後の任意の時点で添加し得る異なるサッカリド部分、分岐、結合、または他の修飾を伴う種々の糖型で存在しうる。異なるグリコシル化パターン（例えば、糖タンパク質の正常な状態および同一糖タンパク質の疾患状態）を表す一方で同一の一次構造を有する複数の糖タンパク質が、従来の二次元ゲル電気泳動で複数のスポットに出現し得るので、不正確に同定され得る。同一タンパク質もまた、複数のスポットに基づいて、結果として不正確な濃度で複数回同定し得る。従来の技術を適用した場合、異なる糖型の電荷は別の問題点である。例えば、異なる変異体が同一正味電荷を持ち得るので、同一速度でゲル内を移動して糖型を区別不能にさせる。
重グリコシル化されているタンパク質は、上記したものに沿った同定に対して、さらなる課題を提供する。完全長タンパク質は、一般に、質量分析としてそのような技術を用いた同定に先立って、消化される。グリコシル化は、プロテアーゼ消化に対する耐性を高める（グリコシル化の機能の一つは、プロテアーゼ消化に対する保護であるため）。また、増加している過酷なタンパク質分解処理が、ペプチド主鎖の完全性に損害を与え得ることから、同定をよりいっそう困難にし、不正確になりやすい。さらに、脱グリコシル化処理を伴わない従来の配列決定法によって重グリコシル化ポリペプチドを同定することは困難である。例えば、糖鎖を持つ消化ペプチド・フラグメントは、質量分析を用いて正確に分析することはできない。当技術分野で欠けていることは、グリコシル化ポリペプチドを同定する方法であり、このグリコシル化ポリペプチドは、ペプチド主鎖の構造的統合性が保たれて効率的なプロテアーゼ消化に利用することができるようにポリペプチドが完全に脱グリコシル化している。
【０００３】
（先行技術）
先行技術は、グリコシル化ポリペプチドの同定に対するいくつかの試みを提供する。ヒラバヤシ他による  Ｐｒｏｔｅｏｍｉｃｓ  １：２９５−３０３、２００１（非特許文献１）は「グリコ・キャッチ（ｇｌｙｃｏ−ｃａｔｃｈ）」法と呼ばれるプロセスを開示している。
「グリコ・キャッチ」法のステップは、レクチン親和性クロマトグラフィによる糖タンパク質の単離、プロテアーゼによる糖タンパク質の消化、レクチン親和性クロマトグラフィによる糖タンパク質の第２の単離、ＨＰＬＣによる単離糖タンパク質の精製、さらに糖タンパク質のシークエンシングである（図１、２９７ページ参照）。ヒラバヤシ他は、「正面親和性クロマトグラフィ（ｆｒｏｎｔａｌ  ａｆｆｉｎｉｔｙ  ｃｈｒｏｍａｔｏｇｒａｐｈｙ）」と呼ばれる第２の方法を開示している。この方法では、グリカンがペプチド主鎖（脱グリコシル化）から遊離される。しかし、ヒラバヤシ他は、「グリコ・キャッチ」法のステップと正面親和性クロマトグラフィ法のステップとの組み合わせについて教示または示唆していない。したがって、本発明の方法とは対照的に、ヒラバヤシ他は、グリコシル化ポリペプチドを消化し、完全に脱グリコシル化してシークエンシングする方法を教示していない。実際、ヒラバヤシ他は、「グリコ・キャッチ」法による脱グリコシル化の利用から離れて教示している。ヒラバヤシ他のプロジェクトの最重要点の一部（ヒラバヤシ他の要約および２９５ページを参照せよ）は、遊離グリカンよりはむしろ登録された単位として、ゲノム・データベースにリンケージするコア・タンパク質から遊離したグリカンではなく糖ペプチド（結合オリゴ糖鎖を含む）を標的化することである（ヒラバヤシ他の２９６ページを参照せよ）。本発明の方法を実施する場合、コア・ペプチド主鎖および遊離オリゴ糖鎖の療法が利用可能であり、分析および同定にとって重要であると考えられる。
ゲング他による  Ｊｏｕｒｎａｌ  ｏｆ  Ｃｈｒｏｍａｔｏｇｒａｐｈｙ  Ｂ  ７５２：２９３−３０６、２００１（非特許文献２）は、トリプシン分解物からの糖ペプチドの親和性選択に基づいた糖タンパク質の同定方法を教示している。ゲング他の方法の主要なステップとしてトリプシン消化、レクチン選択、ＲＰＬＣ、および質量分析による分析が挙げられる（ゲング他の図１、２９８ページを参照せよ）。ゲング他は、糖タンパク質試料が未知のグリコシル化構造を持つ場合のみに脱グリコシル化ステップが有用である。さらに、ゲング他は、本発明の方法によって必要とされるような脱グリコシル化によって分離された複数の消化産物を教示または示唆していない。ゲング他は、重グリコシル化タンパク質を同定する方法の使用を教示または示唆していない。ゲング他の方法の示された欠点は、タンパク質糖型間を区別することができないということである（ゲング他の要約を参照せよ）。対照的に、本発明の方法をサイファージェン・チップ上で実施した場合、ペプチド主鎖から遊離された全てのオリゴ糖鎖がそのチップ上に存在することから、該オリゴ糖鎖をさらに分析および比較することができる。
ロイル他による  Ａｎａｌｙｔｉｃａｌ  Ｂｉｏｃｈｅｍｉｓｔｒｙ  ３０４：７０−９０、２００２（非特許文献３）は、糖タンパク質から遊離されたＯ−グリカンをシークエンシングするための方法を開示する。ロイル他のプロトコルは、糖タンパク質の脱グリコシル化と、それに続くクロマトグラフィおよび分光学的方法を用いた遊離Ｏ−グリカンの分析および同定とを含む。ロイル他の方法は、Ｏ−結合グリカンの分析および同定のみに関係しており、該Ｏ−結合グリカンが遊離するペプチド主鎖の同定とは関係しないことから、ロイル他の方法はプロテアーゼ消化ステップをいっさい含まない。このことは、２通りのプロテアーゼ消化ステップを含み、かつペプチド主鎖および遊離オリゴ糖鎖の両方の分析および同定に関する本発明の方法および目的とは、対照的である。
カジ他による  「Ｎ−結合糖タンパク質を同定するためのレクチン親和性キャブチャ、同位体コード化標識および質量分析」、Ｎａｔｕｒｅ  Ｂｉｏｔｅｃｈｎｏｌｏｇｙ；１−６ページ、２００３年５月１８日付オンライン公開（非特許文献４）は、グリコシル化部位にタグを付けて同定するＩＧＯＴ（放射性同位元素コード化グリコシル化部位特異的タギング）と呼ばれるＮ−結合糖タンパク質を同定する方法を教示する。ＩＧＯＴのステップ（カジ他の図１を参照せよ）は、（ｉ）生物学的試料からのレクチンによる糖タンパク質の親和性キャプチャ、（ｉｉ）糖タンパク質のトリプシン分解および同一レクチンによる糖ペプチドの親和性キャプチャ、（ｉｉｉ）Ｈ２１８Ｏに含まれる糖ペプチドのペプチド−Ｎ−グリコシダーゼＦ（ＰＮＧアーゼＦ）消化、ならびに（ｉｖ）統合化２ＤＬＣタンデムＭＳ技術による１８Ｏタグ・ペプチドの分析を含む。本発明の方法とは対照的に、カジ等の方法は、単一のタンパク質消化ステップのみを伴う。カジ等は、ＩＧＯＴ法を用いて広範囲をカバーすることはできず、生物学的試料に少量含まれる糖タンパク質を同定することが可能ではなかった（カジ等の５ページ、右段）。
ウイルソン他による  Ｊｏｕｒｎａｌ  ｏｆ  Ｐｒｏｔｅｏｍｅ  Ｒｅｓｅａｒｃｈ  １：５２１−５２９、２００２（非特許文献５）は、糖タンパク質から遊離したＮおよびＯ−結合オリゴ糖を分析する方法を教示する。この方法のステップ（ウイルソン等の図１のフローチャートを参照せよ）は、ＰＮＧアーゼＦを用いたＮ−結合オリゴ糖の酵素的放出と、それに続く還元β−除去を用いたＯ−結合オリゴ糖の化学物質遊離およびＬＣ−ＥＳＩ−ＭＳ技術を用いた分析とを含む。ウイルソン等の方法では、糖タンパク質は２Ｄ−ＰＡＧＥによって分離され、脱グリコシル化および消化ステップ前にＰＶＤＦ膜上にブロットされる。
先行技術で利用できる方法のいずれも、完全に脱グリコシル化したタンパク質に対して、正確かつ効率的に同定し得る無傷のペプチド主鎖を与えることができる。しかし、本発明の方法の複数のステップの組み合わせは、第１の消化ステップ、脱グリコシル化ステップ、および第２の消化ステップを含むもので、完全に脱グリコシル化したタンパク質に対して、正確かつ効率的に同定し得る無傷のペプチド主鎖を与えることができる。
【非特許文献１】Ｐｒｏｔｅｏｍｉｃｓ  １：２９５−３０３、２００１
【非特許文献２】Ｊｏｕｒｎａｌ  ｏｆ  Ｃｈｒｏｍａｔｏｇｒａｐｈｙ  Ｂ  ７５２：２９３−３０６、２００１
【非特許文献３】Ａｎａｌｙｔｉｃａｌ  Ｂｉｏｃｈｅｍｉｓｔｒｙ  ３０４：７０−９０、２００２
【非特許文献４】Ｎａｔｕｒｅ  Ｂｉｏｔｅｃｈｎｏｌｏｇｙ；１−６ページ、２００３年５月１８日付オンライン公開
【非特許文献５】Ｊｏｕｒｎａｌ  ｏｆ  Ｐｒｏｔｅｏｍｅ  Ｒｅｓｅａｒｃｈ  １：５２１−５２９、２００２
【発明の開示】
【０００４】
（発明の要約）
本発明は、グリコシル化ポリペプチドが正確かつ効率的に同定し得るペプチド主鎖の構造的統合性を保存する、消化および脱グリコシル化ステップの組み合わせを利用する段階的方法を提供する。本発明のステップは、生物学的試料から得たグリコシル化ポリペプチドに対して、連続的な複数の処理を実施することを含む。第１のプロテアーゼ処理に先立って、生物学的試料を、公知の方法を用いて糖ペプチドの存在に関してエンリッチすることができる。特に好ましいエンリッチ方法は、レクチン・カラムの使用を伴うもので、本明細書に記載した実験で例証される（実施例２）。第１のステップは、少なくとも一種類のプロテアーゼによって、グリコシル化ポリペプチドを処理してタンパク質消化を開始させ、その後、酵素消化または弱酸もしくは塩基による処理によって達成し得る脱グリコシル化ステップがおこなわれる。脱グリコシル化ポリペプチド／フラグメントを、次に、少なくとも１つのプロテアーゼによる再消化にさらす。結果として生ずるポリペプチド・フラグメントのシークエンシングを、次に質量分析を用いておこない、既知の配列のデーターベースと比較することで配列の同定をおこなった。したがって、上記した連続的な複数の処理をサイファージェン・チップ上で実施し、遊離オリゴ糖鎖もまた、このチップ上で収集した後、親タンパク質鎖に沿って、さらなる分析および分類に利用可能である。
したがって、本発明の目的は、２通りのプロテアーゼ消化ステップ間での脱グリコシル化とそれに続く質量分析を用いた配列分析とを含む方法の連続的ステップを実施することで、生物学的試料から得たグリコシル化ポリペプチドの同定にとって有用な方法を提供することである。
本発明のさらなる目的は、２通りのプロテアーゼ消化ステップ間での脱グリコシル化とそれに続く質量分析を用いた配列分析とを含む方法の連続的な複数のステップを実施することで、生物学的試料から得たグリコシル化ポリペプチドの同定にとって有用な方法であって、上記グリコシル化ポリペプチドの少なくとも８０％の消化ペプチドが少なくとも２つのオリゴ糖鎖を含む方法を提供することである。
本発明の別の目的は、生物学的試料から得たグリコシル化ポリペプチドの同定に有用な方法を提供するもので、この方法は、質量分析を用いた配列分析が後に続く２つのプロテアーゼ消化ステップのあいだに、脱グリコシル化ステップを含む方法の連続的なステップを実施する前に、糖ポリペプチドに関して生物学的試料をエンリッチする。
本発明のさらなる目的は、生物学的試料から得たグリコシル化ポリペプチドの同定に有用な方法を提供するもので、この方法は、質量分析を用いた配列分析が後に続く２つのプロテアーゼ消化ステップのあいだに、脱グリコシル化ステップを含む方法の連続的なステップを実施する前に、糖ポリペプチドに関して生物学的試料をエンリッチし、上記グリコシル化ポリペプチドの少なくとも８０％の消化ペプチドが少なくとも２つのオリゴ糖鎖を含む。
本発明のさらに別の目的は、本発明の段階的方法を利用して生物学的試料からグリコフォリンを同定することである。
この発明の他の目的および利点は、この発明のいくつかの実施形態を例示および図示を目的として示す添付図面とともに、以下の説明（実験的な実施例を含む）を解釈することで明らかになろう。図面は、この明細書の一部を構成し、本発明の典型的な実施形態を含み、種々の目的物およびそれらの特徴を例示する。
【０００５】
（用語、言い回し、および略語の定義）
以下のリストは、本明細書全体と通して使用される用語、言い回し、および略語である。これらの用語、言い回し、および略語を、単一の時制でリストに記載するけれども、それらの定義は全ての文法的形態が包含されることを意図している。
本明細書で用いられるように、「重グリコシル化タンパク質（ｈｅａｖｉｌｙ  ｇｌｙｃｏｓｙｌａｔｅｄ  ｐｒｏｔｅｉｎ）」または「重グリコシル化ポリペプチド（ｈｅａｖｉｌｙ  ｇｌｙｃｏｓｙｌａｔｅｄ  ｐｏｌｙｐｅｐｔｉｄｅ）」という用語は、グリコシル化タンパク質をプロテアーゼ処理することで、少なくとも２つの共有結合オリゴ糖鎖を有する少なくとも８０％の消化ペプチドをもたらすグリコシル化タンパク質のことをいう。事前に脱グリコシル化することなしに質量分析で同定不可能である糖ペプチドが、重グリコシル化するものと考えられる。
本明細書で用いられるように、用語「グリコシル化タンパク質（ｇｌｙｃｏｓｙｌａｔｅｄ  ｐｒｏｔｅｉｎ）」または「糖タンパク質（ｇｌｙｃｏｐｒｏｔｅｉｎ）」とは、共有結合オリゴ糖鎖を持つ任意のタンパク質のことをいう。
本明細書で用いられるように、用語「グリコシル化ポリペプチド（ｇｌｙｃｏｓｙｌａｔｅｄ  ｐｏｌｙｐｅｐｔｉｄｅ）」または「糖ポリペプチド（ｇｌｙｃｏｐｏｌｙｐｅｐｔｉｄｅ）とは、共有結合オリゴ糖鎖を持つ完全長のグリコシル化タンパク質よりも長さが短い任意のタンパク質フラグメントのことをいう。
本明細書で用いられるように、用語「生物学的試料（ｂｉｏｌｏｇｉｃａｌ  ｓａｍｐｌｅ）」とは、任意の生きているまたは以前は生きていた組織もしくは液体から得た試料のことをいう。
本明細書で用いられるように、用語「エンリッチ（ｅｎｒｉｃｈｍｅｎｔ  ｏｒ  ｅｎｒｉｃｈ）」とは、生物学的試料から糖タンパク質を分離することをいう。
本明細書で用いられるように、用語「再消化（ｒｅ−ｄｉｇｅｓｔｉｏｎ）」とは、第１のプロテアーゼ消化をあらかじめおこなったタンパク質試料に対して、第２のプロテアーゼ消化をおこなう本発明の第２のプロテアーゼ消化ステップのことをいう。
本明細書で用いられるように、略語「ＮＨＳ」とは、正常ヒト血清または非疾患ヒト血清のことをいう。
本明細書で用いられるように、略語「ＧＰ」とは、糖タンパク質、糖ポリペプチド、または糖ペプチドのことをいう。
本明細書で用いられるように、略語「ｒｂｃ」は、「赤血球（ｒｅｄ  ｂｌｏｏｄ  ｃｅｌｌ）」として定義される。
本明細書で用いられるように、略語「ＬＣ−ＭＳ−ＭＳ」は、液体クロマトグラフィ−質量分析−質量分析（ｌｉｑｕｉｄ  ｃｈｒｏｍａｔｏｇｒａｐｈｙ  −  ｍａｓｓ  ｓｐｅｃｔｒｏｍｅｔｒｙ  −  ｍａｓｓ  ｓｐｅｃｔｒｏｍｅｔｒｙ）として定義され、液体クロマトグラフィの後に続いてタンデム質量分析が用いられる。
本明細書で用いれるように、略語「ＳＥＬＤＩ」は、「表面活性化レーザー脱着イオン化（ｓｕｒｆａｃｅ  ｅｎｈａｎｃｅｄ  ｌａｓｅｒ  ｄｅｓｏｒｐｔｉｏｎ  ｉｏｎｉｚａｔｉｏｎ）」として定義され、質量分析の一技術である。
本明細書で用いられるように、略語「ＨＰＬＣ」は、「高速液体クロマトグラフィ（ｈｉｇｈ  ｐｅｒｆｏｒｍａｎｃｅ  ｌｉｑｕｉｄ  ｃｈｒｏｍａｔｏｇｒａｐｈｙ）」として定義される。
本明細書で用いられるように、略語「ＲＰ−ＨＰＬＣ」は、「逆相液体クロマトグラフィ（ｒｅｖｅｒｓｅ  ｐｈａｓｅ  ｈｉｇｈ  ｐｅｒｆｏｒｍａｎｃｅ  ｌｉｑｕｉｄ  ｃｈｒｏｍａｔｏｇｒａｐｈｙ）」として定義される。
用語「糖鎖（ｓｕｇａｒ  ｃｈａｉｎ）」、「オリゴ糖鎖（ｏｌｉｇｏｓａｃｃｈａｒｉｄｅ  ｃｈａｉｎ）」、および「グリカン（ｇｌｙｃａｎ）」は、本明細書では同義的に用いられる。
【０００６】
（図面の簡単な説明）
図１は、  本発明の方法を実施した際に実行される順番で複数のステップを例示するフローチャートである。
図２は、糖タンパク質抽出物の第１のトリプシン消化（第１回目の実行、実施例１）から収集したデータを示す。
図３は、  グリコフォリン抽出物（第１回目の実行、実施例１）のＭＳ−ＭＳ分析に関するセクエスト（Ｓｅｑｕｅｓｔ）結果を示す。グリコフォリンＡに一致するペプチド配列を上から下に配列番号１、配列番号２、配列番号３、ならびに配列番号１および配列番号４として示す。
図４は、  グリコフォリン抽出物（第２回目の実行、実施例１）のＭＳ−ＭＳ分析に関するセクエスト（Ｓｅｑｕｅｓｔ）結果を示す。パネルＡ（最上部）は、上から下に配列番号２５、配列番号２６、配列番号２７、配列番号２８、および配列番号２９として示す赤血球陰イオン交換癌タンパク質（バンド３）にペプチド配列を示す。パネルＢ（中）およびパネルＣ（下）は、上から下に配列番号２（２回示す）、配列番号１  （２回示す）、配列番号２  （５回示す）、配列番号４（２回示す）、ならびに配列番号１、配列番号３、および配列番号３０（４回示す）として同定されるグリコフォリンＡに一致するペプチド配列を示す。
【発明を実施するための最良の形態】
【０００７】
本発明は、ペプチド主鎖の構造的統合性（ｓｔｒｕｃｔｕｒａｌ  ｉｎｔｅｇｒｉｔｙ）を保ち、正確な同定のための効率的な同定を可能にする消化ステップと脱グリコシル化ステップとの組み合わせを利用したグリコシル化ポリペプチドの同定に有用な段階的方法を提供する。本発明のステップは、図１に示すフローチャートに例示される。糖タンパク質の全てのタイプが本発明および方法論の範囲内にあると考えられるけれども、特に重みをグリコフォリンの同定にあてている。
グリコフォリンは、ほ乳類赤血球（ｒｂｃ）の膜に組み込まれた重グリコシル化タンパク質であり、細胞外側末端と細胞質側末端とのあいだに位置した１つの膜貫通ドメインからなる。グリコフォリンＡは、重さが３６キロダルトンである１３１アミノ酸残基の一次構造を持つモノマーである。細胞外側末端は、ウイルス（例えば、インフルエンザ）に対するリガンドに相当するＭＮ血液型受容体を持つ。細胞外側末端は、１５個のＯ−結合グリカンと１個のＮ結合グリカンとも有し、これらはｒｂｃ膜表面に負電荷を与える。グリコフォリンのグリコシル化は、赤血球細胞の静電反発力を生ずる負に帯電したｒｂｃ膜表面をもたらす。この静電反発力は、容器内での赤血球の固着を防ぐ。赤血球のダメージ、特に膜のダメージは、多くの病的状態で見られる。この膜のダメージは、グリコシル化パターンの崩壊を介したグリコフォリンに対するダメージから生じる場合がある（ｒｂｃ膜およびグリコフォリンについての導入として、コンサイス百科辞典：生化学および分子生物学、第３版、トーマスＡ．スコットおよびＥ．イアン・マーサーによって改訂および記述、Ｗ・グレイター、ベルリン−ニューヨーク、１９９７、２０１−２０２ページ、ならびに、インスタント・ノート：バイオケミストリー、第２版、Ｂ．Ｄ．ハムスおよびＮ．Ｍ．フーパー、シュプリンガー出版ニューヨーク、２０００、１２５、１２６、および１３０ページを参照せよ）。
本発明の方法を実施する場合、糖タンパク質を任意の生物学的試料から得ることができる。実例となる非限定的な例は、体液（尿、血清、血しょう、および唾液）ならびに細胞（例えば、赤血球）あるいは組織抽出物である。最初に、なんらかの公知の方法を用いて、糖タンパク質に関して生物学的試料をエンリッチする。特に好ましい方法は、レクチン・カラムを用いる（サティーシュ他を参照。ジャーナル・オブ・バイオケミカル・アンド・バイオフィジカル・メソッド、４０９：６２５−６４０、２００１を参照せよ）。つぎに、エンリッチされた糖タンパク質（実例となる非限定的な例はトリプシン）を、実験者が選択した少なくとも一種類のプロテアーゼによる第１の処理によって、より小さな糖ポリペプチドにフラグメント化する。
【０００８】
タンパク質の消化に有用な他の酵素は、当業者に知られている。また、所望の結果にもとづいて、もしくは消化すべきタンパク質の特定の性質にもとづいて、１つの酵素または複数の酵素の組み合わせを実験者が選択することができる。糖ペプチドを脱グリコシル化する前に、消化時間がプロテアーゼを完全に自己消化可能とする場合を除いて、プロテアーゼを不活性化して消化の進行を停止させることが必要である。プロテアーゼの不活性化は、当業者に公知の種々の方法によって達成し得る。実例となる非限定的な例として、ＨＰＬＣ、反応混合物の沸騰、ならびにプロテアーゼ阻害剤の添加が挙げられる。ＨＰＬＣの１つの利点は、消化糖ポリペプチド・フラグメントの分離を可能にする。プロテアーゼ消化が停止する場合、次に、公知の任意の方法を用いて糖ポリペプチドを脱グリコシル化処理する（実例となる非限定的な例として、酵素消化および弱酸または塩基による処理が挙げられる）。完全長の糖タンパク質の脱グリコシル化処理がペプチド主鎖にダメージを与える点に注意することは重要である。したがって、ダメージを与えない処理がしばしば、脱グリコシル化を効果的におこなうにはかなり十分ではない。また、タンパク質のグリコシル化によって、消化酵素によって標的化された部位をマスクして、タンパク質を消化から保護する。したがって、重グリコシル化タンパク質は、しばしば完全には消化可能とはならず、シークエンシングが不可能な大きなフラグメントを生ずる。本発明の方法の第１のプロテアーゼ消化ステップは、糖タンパク質をフラグメント化し、ペプチド主鎖の構造的統合性に対して何らダメージを加えることなく施される脱グルコシル化処理を可能にする。しかし、重グリコシル化タンパク質がこの第１のプロテアーゼ消化を実行する場合、大きなペプチド・フラグメントが依然として質量分析等の方法ではシークエンシングできない結果となる。本発明の方法の脱グリコシル化は、このような大きなペプチドが、第２のプロテアーゼ消化を効率的に実行して、シークエンシングおよび同定し得るより小さなペプチド・フラグメントをもたらすことを可能にする。第１のプロテアーゼ処理および脱グリコシル化処理後に、脱グリコシル化ポリペプチド・フラグメントを、実験者による選択の少なくとも一種類のプロテアーゼによる第２のプロテアーゼ消化（再消化）にさらし、この第２の消化から得られたフラグメントを質量分析にかけて分析する。質量分析によって生じた配列データを、生物学的試料に存在する糖ペプチド・フラグメントの同定を目的として、既知の配列データと比較する。
全ての段階的方法は、タンパク質チップ（例えば、サイファージェンから入手可能なもの）上で直接実施することができる。目的とする抗体（同定すべき糖タンパク質に対する抗体）もしくはレクチンあるいは当業者に公知の他の捕捉剤をＰＳ２０チップ上に被覆し、それに続いて糖タンパク質を含む生物学的試料溶液の塗布をおこなう。次に、上記表面の直にその上で、捕捉糖タンパク質に対して本発明の連続的な複数のステップをおこなう。特に有益なことは、本発明の方法をサイファージェン・チップ上でおこなうことである。なぜなら、糖タンパク質から遊離したオリゴ糖鎖もまた、さらなる分析のためにそのチップの表面上で利用可能であるためである。
【実施例１】
【０００９】
（第１回目の実行）
糖タンパク質の調製
ＭＮドナー由来の糖タンパク質は、ハマグチおよびクリーブ（ＢＢＡ  ２７８：２７１−２８０、１９７２）の方法にもとづいてｒｂｃ膜由来の抽出物である。この方法は、ｒｂｃ膜から糖タンパク質を抽出する（グリコフォリンＡ−Ｃおよびバンド３およびマイナー糖タンパク質）。総タンパク質濃度をＢＣＡ（ピアス）によって測定した。
糖タンパク質の消化および脱グリコシル化
１００μｇの糖タンパク質を含む５０ｍＭのＮＨ４ＨＣＯ３  をロッシュから得たトリプシン（０．５ｍｇ／ｍｌを１μｌ）によって３７℃で１５分間にわたり処理した。次に、糖ペプチドの混合物をＰＲ−ＨＰＬＣタンパク質Ｃ４  ０．４６ｘ２５０ｍｍ（バイダック２１４ＴＰ５４）によって分離した。ＲＰ−ＨＰＬＣについて、０．６ｍｌ／分で３０分間にわたり５〜９５％溶媒Ｂ（０．１％ＴＦＡ含有７０％アセトニトリル）からなる勾配をＨＰＬＣゴールド・システム１６６検出器（ベックマン・コールター）上で実行した。溶出糖ペプチドの脱グリコシル化を、カルバイオケム（Ｃａｌｂｉｏｃｈｅｍ）脱グリコシル化キットを用い、製造元の指示にしたがって、おこなった。脱グリコシル化反応を３７℃で約２４時間おこなった。脱グリコシル化ペプチドを乾固し、３７℃で４時間にわたりトリプシン（０．５ｍｇ／ｍｌを１μｌ）処理を再び実施し、続いて製造元の指示にしたがってＳＣＸジップ・チップ（ミリポア）でジップチップした。ＬＣ／ＭＳ−ＭＳ上で分析する前に、溶出ペプチドをセントリバプ（Ｃｅｎｔｒｉｖａｐ）濃縮器（ラブコンコ）上で乾固して、０．２％蟻酸２０μｌに再懸濁した（液体クロマトグラフィおよびタンデム質量分析）。
ＬＣ（液体クロマトグラフィ）成分
溶媒Ａおよび溶媒Ｂを、０．１％酢酸と０．１％酢酸含有９９．９％アセトニトリルとによって、それぞれ調製した。２０μｌの試料を１０μｌ／分で５分間にわたり、５％バッファＢとともに０．３ｘ１５０ｍｍＣ１８カラム（バイダック２３８ＭＳ５．３１５）に注入した。この試料の溶出を、２μｌ／分で５ないし６５％Ｂの直線勾配を４０分間適用することによっておこなった。
質量分析
サーモフィニガンＬＣＱ  ＤＥＣＡ  ＸＰを、ロー・フロー・メタル・ニードル（サーモフィニガン）アセンブリを含むＥＳＩソースによって、設定した。上記器具を、データ依存性で獲得するように構成した。この器具は、２通りの走査現象、すなわち第１のＭＳおよび第２のＭＳ／ＭＳを含んだ。動的排除は、繰り返し回数２、繰り返し継続時間１分、排除リスト・サイズ２５、および排除継続時間３分で可能になった。正規化衝突エネルギーを３５％に設定し、デフォルト電荷状態を４に設定した。他の全ての方法および器具バラメータをデフォルト値に設定した。
データベース検索
生ファイル結果は、２００２年８月６日にＮＣＢＩウエブサイトからダウンロードしたＮＲデータベースのヒト・サブセットに対してセクエスト・ブラウザ（バイオワークス２．０）によって検索した。ＤＴＡクリエーションに関して、分子量（ＭＷ）の底値は７００、ＭＷの最上値は３５００、質量（Ｍａｓｓ）１．４、中間走査２５、グループ走査１、最小＃イオン３５、さらにＭＩＮ  ＴＩＣ  １．０Ｅ４であった。ケラチン、アーチファクト、およびトリプシンは、３８％のセットを削除するために％一致を持つイオンクエストを用いて、除外した。
結果（第１回目の実行）
上記糖タンパク質試料の第１のトリプシン処理から得たデータを図２に示す。保持時間がそれぞれ１２．３分、１３．７分、および１４．３分を持つ３つのマイナー・ペプチドを回収した。各ピークのペプチドを、上記したように、脱グリコシル化して消化した。次に、各混合物をＬＣ／ＭＳ−ＭＳ上に注入し、配列データ・ベースと一致させた。１４．３分で溶出したペプチド配列についてのセクエスト結果を図３にまとめる。データは、この配列がグリコフォリンＡの配列と一致することを示している。グリコフォリンＡに一致した配列は、グリコフォリンの全アミノ酸配列の２８．７％に及ぶ。このプロセスは、重グリコシル化されることが知られているペプチドがシークエンシングされてグリコフォリンＡと一致することから、成功裏に効率的であることが示される。同定されたペプチドの各々が、ペプチド１つあたり１ないし４つのオリゴ糖鎖を有した。
【００１０】
第２回目の実行
第１回目の実行の上記実験を、第１のタンパク質消化ステップに変更を加えて用いることで、繰り返した。１５分間にわたるタンパク質消化のかわりに一晩にわたってタンパク質消化をおこない、ＨＰＬＣの必要性を取り除いた（プロテアーゼを一晩自己消化させ、消化を自然停止させる）。このような変更を用いて、グリコフォリンＡに一致するペプチドの量の増加を試みた。
１０μｇの糖タンパク質抽出物（第１回面の実行で上記したものと同一試料）を含む５０ｍＭＮＨ４ＨＣＯ３を用いた。
トリプシン溶液（０．５ｍｇ／ｍｌ含む５％酢酸）１μｌを加えて、３７℃、一晩にわたり１０μｇの糖タンパク質試料をトリプシン消化した。トリプシンを一晩インキュベートすることで自己消化させ、脱活性化を不要化させた。第１のトリプシン消化の後に、第１の実行で上記したように脱グリコシル化ステップおよび再消化ステップ（トリプシンを用いる）をおこなった。次に、ＬＣ−ＭＳ−ＭＳ分析を、第１の実行で上記した手順にもとづいて実行した（液体クロマトグラフィクロマトグラフィ、質量分析、およびデータベース・サーチ）。
結果（第２回目の実行）
一致したペプチド配列はグリコフォリンＡのアミノ酸配列の４６．６％に及んだことから、グリコフォリンＡに一致するペプチド配列の量の増加を観察した（図４参照）。重グリコシル化配列（すなわち残基１〜１８（配列番号３０））を同定したところ、８本のオリゴヌクレオチド鎖を有した。留意すべきことは、膜貫通型ドメインまたは細胞内ドメインのいずれも上記プロセスの過程で沈殿しないことから、それらのドメインはいずれも検出されなかったことである。
グリコフォリンＡに一致するペプチドの例は以下のとおりである。すなわち、配列番号３０（１８６７．４ダルトン、残基１〜１８）、配列番号１（１５３８．８１ダルトン、残基１９〜３１）、配列番号３（８９５．１ダルトン、残基３２〜３９）、配列番号２（１１２７．６ダルトン、残基４０〜４９）、ならびに配列番号４（１４０７．４、残基５０〜６１）である。
【実施例２】
【００１１】
次に、開始生物学的試料として精製糖タンパク質抽出物のかわりに、正常ヒト血清を用いて、上記実験を繰り返した。全ヒト血清試料を最初にトリプシン処理し、ＣｏｎＡセファロース・カラムに通して、糖タンパク質に関してのみエンリッチし、脱グリコシル化し、さらにトリプシンによって再消化した。ＣｏｎＡカラムから回収したフラグメントを第２のトリプシン消化後に回収したフラグメントと比較した際、質量シフトが脱グリコシル化成功を証明するものと思われた。さらに、ＣｏｎＡカラムから回収した糖ペプチドをシークエンシングし、第２のトリプシン処理後に回収したペプチドをシークエンシングして、その脱グリコシル化を証明し、正確に同定し得るペプチドの量を第２のトリプシン消化が増加させる。
健康なドナーから得た２５μｌの粗血清（インテルゲン）を４７５μｌの１０％アセトニトリル含有５０ｍＭＮＨ４ＨＣＯ３に希釈した。５μｌのトリプシン（０．５ｍｇ／ｍｌ）を添加し、混合物を一晩、３７℃でインキュベートした。５００μｌのＣｏｎＡ緩衝液（２０ｍＭトリスＨＣｌ  ｐＨ７．４、０．５Ｍ  ＮａＣｌ）を添加し、アマルシャム・ファルマシア由来のＣｏｎＡカラム（２００μｌ）に充填した。非特異的結合材料を、０．５％デオキシコレート含有ＣｏｎＡ緩衝液に洗い流し、次に結合材料を１００ｍＭメチルアマノピラノシド（ＩＣＮバイオメディカルズ社）含有５０ｍＭＮＨ４ＨＣＯ３２００μｌによって溶出した。これは、後ＣｏｎＡ産物（表１を参照。下）。糖タンパク質は、後ＣｏｎＡ産物から同定されなかった。
１２０μｌの後ＣｏｎＡ産物をセントリバプ濃縮器（ラブコンコ）上で乾燥させ、次に３０μｌのＵＦ水で再懸濁し、非還元および変性緩衝液を添加したことを除いて、製造元の推奨にしたがってカルバイオケム脱グリコシル化キットよって脱グリコシル化した。反応を３７℃で一晩実行した。インキュベーション時間の終わりに、一等分量を取った。これは後脱グリコシル化（ｐｏｓｔ−ｄｅｇｌｙｃｏｓｙｌａｔｉｏｎ）産物（表１の中段を参照せよ）。合計で７つの糖タンパク質を後脱グリコシル化産物から同定した。
最終的に、２．５μｌのトリプシン（０．５ｍｇ／ｍｌ）を６０μｌの後脱グリコシル化産物に添加し、この反応を３７℃で２時間にわたり実行した。これは、最終産物である（表１の上段を参照せよ）。合計で１５個の糖タンパク質を最終産物から同定した。最終産物は、本発明の方法の全てのステップを実行した後に得られる。
全後ＣｏｎＡ、後脱グリコシル化、および最終産物を、製造元の推奨にしたがって、Ｃ１８ジップ・チップ（ミリポア）を用いて、ジップチップした。溶出ペプチドをセントリバプ濃縮器上で乾固し、ＬＣ／ＭＳ−ＭＳ分析に先立って、２０μｌの０．２％蟻酸に再懸濁した。ＬＣ−ＭＳ−ＭＳ分析を実施例１に示したように実施した。
【００１２】
全ての後ＣｏｎＡ、後脱グリコシル化、および最終産物をイオン・トラップＭＳ／ＭＳに注入した。表１に、質量分析上で同定された化合物と該化合物のいくつかの特性とをまとめる。重要なことは、ＣｏｎＡカラムを介した精製後、糖ペプチドがＭＳ／ＭＳ上で同定されなかったことに留意することである。オリゴ糖鎖の存在（タンパク質のグリコシル化）は、質量分析法によるペプチドのシークエンシングおよび同定を妨げることから、脱グルコシル化にとって必須であることを示している。脱グリコシル化後、７つのペプチドをＭＳ／ＭＳによって同定し、脱グリコシル化ステップの効果が証明された。脱グリコシル化および第２のトリプシン消化をおこなった後、１５個のペプチドをＭＳ／ＭＳによって同定し、このことは脱グリコシル化ステップの効率が２通りの消化工程を用いることで増加したことを証明した。同定されたペプチドは、ＮおよびＯ結合オリゴ糖を担持した。実施例２のＭＳ上で同定された配列を以下の段落に記載する。
【００１３】
ヒト血漿プロテアーゼＣ１阻害剤に一致する３つのペプチドを、後脱グリコシル化産物、すなわち配列番号５（残基２１７〜２４１）、配列番号６（残基５３〜７７）、および配列番号７（残基３４４〜３６４）から同定した。血漿プロテアーゼＣ１阻害剤は、７つのＯ−結合オリゴ糖鎖と６〜７個のＮ−結合オリゴ糖鎖とを担持する。その構造にもとづいて、血漿プロテアーゼＣ１阻害剤のＡｓｎ２３８位、Ａｓｎ６９位、およびＡｓｎ３５２位にあるオリゴ糖鎖がＮ結合であり、Ｓｅｒ６４位およびＴｈｒ７１位にあるオリゴ糖鎖がＯ−結合している。
【００１４】
補体成分３に一致する４つのペプチドを最終産物から同定した。すなわち、配列番号８（残基２９１〜３０４）、配列番号９（残基７４〜９４）、配列番号１０（残基１６２〜１７６）、および配列番号１１（残基１３６５〜１３７５）である。その構造にもとづいて、補体成分３のＡｓｎ８５位、Ａｓｎ９３９位、およびＡｓｎ１６７位にあるオリゴ糖鎖がＮ結合している。
【００１５】
クラステリン（補体溶解阻害剤としても知られている、ＳＰ−４０および硫酸化糖タンパク質２）に一致する３つのペプチドを後脱グリコシル化産物から同定した。すなわち、配列番号１２（残基３０５〜３２２）、配列番号１３（残基３７２〜３８５）、および配列番号１４（残基３５２〜３７１）である。その構造によれば、クラスタリンのＡｓｎ８６位、Ａｓｎ１０３位、Ａｓｎ１４５位、Ａｓｎ２９１位、Ａｓｎ３５４、およびＡｓｎ３７４位にあるオリゴ糖鎖がＮ−結合している。
【００１６】
ヘプトグロブリン−２アルファ前駆体に一致する１０個のペプチドが後脱グリコシル化産物および最終産物から同定された。すなわち、配列番号１５（残基  ２１４〜２２５）、配列番号１６（残基２２６〜２３３）、配列番号１７（残基１７７〜２００）、配列番号１８（残基２０１〜２１３）、配列番号１９（残基２２７〜２３３）、配列番号２０（残基５８〜６９）、配列番号２１（残基５８〜７０）、配列番号２２（残基１１７〜１２９）、配列番号２３（残基２７６〜２８４）、および配列番号２４（残基２３４〜２４９）である。その構造によれば、ヘプトグロブリン−２アルファ前駆体のＡｓｎ１８２位、Ａｓｎ２０５位、およびＡｓｎ２０９位にあるオリゴ糖鎖がＮ−結合している。
【００１７】
結論として、この研究で同定された全てのグリコシル化ペプチドが標準的なＭＳプロトコルを使用して既にシークエンシングされなかったことという点に注意することは、重要である。実験的な例は、本発明の方法が精製糖タンパク質抽出物（グリコフォリン、実施例１）の同定と、糖タンパク質混合物（血清、実施例２）の個々の糖タンパク質の同定とに対して効率的であることを示す。本発明は、グリコシル化ポリペプチドを正確に同定する効率的な方法を提供するもので、ペプチド主鎖の構造的統合性が保存されるとともに、プロテアーゼ消化にとって利用可能となるようにして、ポリペプチドが完全に脱グリコシル化される。
【００１８】
この明細書で言及された全ての特許および刊行物は、本発明が関係する当技術分野の当業者のレベルを示す。全ての特許および刊行物を本明細書では、個々の特許および刊行物が具体的に、また個々に参照として取り込まれることを示されるかのように、同一範囲で援用する。
本発明のある種の形態が例示される一方で、本明細書に記述および示した部分の特定の形態または配置に限定されるものではないことが理解される。さまざまな変更が発明の範囲から逸脱することなく可能と思われること、また明細書に示し、かつ記載したものに本発明が限定されるものではないと考えられることは、当業者に容易に理解される。
本発明が目的を実施すること、また本明細書に固有のものと同様に、言及した目的および利点を得ることに、本発明が十分に適していることが、容易に理解される。本明細書に記載されたオリゴヌクレオチド、ペプチド、ポリペプチド、生物学的に関連した化合物、方法、手順、および技術は、現在のところ好ましい実施形態を示すものであり、また典型的なものであることを意図しており、本発明の範囲を制限することを意図したものではない。ここでの変化および他の用途は、当業者が想到するものであり、本発明の精神に包含され、かつ添付した特許請求の範囲によって定義される。特定の好ましい実施形態と関連して本発明を説明したけれども、クレームされた本発明はそのような特定の実施形態に過度に限定されるものではないことを理解しなければならない。実際、当業者にとって明らかである発明を実行するための描かれた態様の種々の態様は、以下の請求の範囲内であることを意図している。
【００１９】
【表１】
2006527373.tif 000003
【図面の簡単な説明】
【００２０】
【図１】本発明の方法を実施した際に実行される順番で複数のステップを例示するフローチャートである。
【図２】糖タンパク質抽出物の第１のトリプシン消化（第１回目の実行、実施例１）から収集したデータを示す。
【図３】グリコフォリン抽出物（第１回目の実行、実施例１）のＭＳ−ＭＳ分析に関するセクエスト（Ｓｅｑｕｅｓｔ）結果を示す。グリコフォリンＡに一致するペプチド配列を上から下に配列番号１、配列番号２、配列番号３、ならびに配列番号１および配列番号４として示す。
【図４】グリコフォリン抽出物（第２回目の実行、実施例１）のＭＳ−ＭＳ分析に関するセクエスト（Ｓｅｑｕｅｓｔ）結果を示す。パネルＡ（最上部）は、上から下に配列番号２５、配列番号２６、配列番号２７、配列番号２８、および配列番号２９として示す赤血球陰イオン交換癌タンパク質（バンド３）にペプチド配列を示す。パネルＢ（中）およびパネルＣ（下）は、上から下に配列番号２（２回示す）、配列番号１  （２回示す）、配列番号２  （５回示す）、配列番号４（２回示す）、ならびに配列番号１、配列番号３、および配列番号３０（４回示す）として同定されるグリコフォリンＡに一致するペプチド配列を示す。
【図１】
2006527373.tif 000004
【図２】
2006527373.tif 000005
【図３】
2006527373.tif 000006
【図４】
2006527373.tif 000007
【配列表】
2006527373000001.app
【国際調査報告】
2006527373.tif 000008
2006527373.tif 000009
2006527373.tif 000010
2006527373.tif 000011